(57)【要約】      （修正有）【課題】ロール状ペーパーに簡単に取り付けることができ、しかも左手又は右手のいずれか片手で容易にロール状ペーパーを切り取ることができる金具の提供。【解決手段】棒状体２３を折り曲げてコの字形の折曲部材２を形成する。第１端部２１と第２端部２２は、その表面周囲に環状凹凸部又はねじ山３を有している。また棒状体２３の断面は円形である。また平板部材４にはネジ孔８１、８２が両端部に設けられており、第２端部２２に、該平板部材４が固定されている。更に固定用平板部材４の下部のネジ孔８２には、水平棒部材５が挿入され固定されている。【選択図】  図２
0003122376.tif 000002
【実用新案登録請求の範囲】
【請求項１】
棒状体を折り曲げて該棒状体の第１端部と反対側の第２端部を平行に配置した折曲部材からなり、該折曲部材の下方に位置する第２端部付近から垂直に真下に伸びた平板部材を有し、かつ該平板部材の下端に水平に設けた棒部材からなることを特徴とする片手でロール状ペーパーを切り取るための金具
【請求項２】
棒状体の第１端部付近には周方向に環状凹凸部又はねじ山を有することを特徴とする請求項１に記載の片手でロール状ペーパーを切り取るための金具。
【請求項３】
折曲部材が、Ｕ字形又はコの字形のいずれかであることを特徴とする請求項１又は請求項２に記載の片手でロール状ペーパーを切り取るための金具。
【請求項４】
平板部材が、Ｌ字形であることを特徴とする請求項１乃至請求項３のいずれかに記載の片手でロール状ペーパーを切り取るための金具。
【請求項５】
請求項１、請求項２又は請求項４のいずれかに記載の金具の折曲部材部、平板部材部及び水平に設けた棒部材部が、棒状体のみで一体的に折り曲げて形成された己形状からなることを特徴とする片手でロール状ペーパーを切り取るための金具。
【考案の詳細な説明】
【技術分野】
【０００１】
本考案は、片手でロール状ペーパーを切り取るための金具に関し、更に詳しくは、本考案は、ロール状ペーパーに簡単に取り付けることができ、しかも左手又は右手のいずれか片手で容易にロール状ペーパーを切り取ることができる金具に関するものである。
【背景技術】
【０００２】
近年、トイレで用を足す際、片手が不自由な障害者はいうまでもなくトイレへ漫画や携帯用ゲーム機などをもって行く若者などが空いた方の手のみでロール状トイレットペーパーを切り取る、いわゆる片手操作をする傾向にあるが、従来、片手でロール状トイレットペーパーを取り出す方法は、カッターホルダーに切断部を設け、該切断部の先端に刃先を設け、片手で取り出したロール状トイレットペーパーを該刃先で切断するロール状トイレットペーパーホルダーが知られている（例えば、特許文献１参照）。
【０００３】
また円筒状に捲回されたトイレットペーパー（８ａ）を回転自在に保持し所望の長さのペーパーが切り取り自由なロール状トイレットペーパーホルダーにおいて、ロール状トイレットペーパーホルダーの壁面取り付け版（１）を設けたホールド固定部（３）と上カバーの保持回転部（４ｄ）を有し、更にロールトイレットペーパー（８ａ）は保持固定用上カバー（５ａ）とトイレットペーパーガイド用下カバー（５ｂ）の間挟まれて保持されており、このロール状トイレットペーパーホルダーは、捲回されたロールペーパー（８ａ）を上方に繰り出し保持固定用上カバー（５ａ）とペーパーガイド用下カバー（５ｂ）の間に通しペーパーガイド用下カバー（５ｂ）の表面上部にペーパーを乗せた状態にしておき、使用時は次回引き出し用把持ペーパー（８ｃ）を下方に引き出し所望の長さにして下方へ力を加えるとペーパーは下カバー先端（７）で切られ所望のペーパーが確保出来ると同時にその片手単純１回操作で次回引き出し用把持ペーパー（８ｃ）がペーパーガイド用下カバー（５ｂ）の表面上部に確保出来る（例えば、特許文献２参照）。
【０００４】
更に２枚のプラスチック板１の間に伸縮性・弾性に富むゴム２で結合し、プラスチック板１の内側に吸着盤３を各々６個ずつ取り付ける。吸着盤３を既製のトイレットペーパーホルダーに貼り付け、片手でロール状トイレットペーパーをゴム２の部分に密着させ、引き上げることにより簡単にロール状トイレットペーパーを切断できる（例えば、特許文献３参照）。
【特許文献１】特開２００３−１８０５５２（特許請求の範囲、図１、図２）
【特許文献２】特開２００５−２５３９２２（段落０００４、図１）
【特許文献３】実用新案登録第３０６８３５５号（実用新案登録請求の範囲、段落０００３、図１、図２、図３）
【考案の開示】
【考案が解決しようとする課題】
【０００５】
両手のいずれかが不自由な障害者は、片手でロール状トイレットペーパーを切り取らねばならないが、前述のように特許文献１では、カッターホルダーに切断部を設け、該切断部の先端に刃先を設け、片手で取り出したロール状トイレットペーパーを該刃先で切断するものであるが、これは刃先を用いてロール状トイレットペーパーを切断する点でロール状トイレットペーパーを切り取るときの安全性が問題になるばかりでなく、構造が複雑でかつ大掛かりとなり問題がある。また特許文献２は、ロールペーパー（８ａ）は保持固定用上カバー（５ａ）とペーパーガイド用下カバー（５ｂ）の間挟まれて保持されており、挟んだ状態でロール状トイレットペーパーを切り取るものであるが、部品点数が多くかつ複雑でコストがかかると共に、既存のロール状トイレットペーパーホルダーにそのまま設置することができないという問題がある。更に特許文献３は、図１に示されるように２枚のプラスチック板１の間に伸縮性・弾性に富むゴム２で結合し、プラスチック板１の内側に吸着盤３を各々６個ずつ取り付けた構造からなり、吸着盤３を既製のトイレットペーパーホルダーに貼り付け、片手でロール状トイレットペーパーをゴム２の部分に密着させ、引き上げることによりロール状トイレットペーパーをゴムの摩擦を利用して切断するものであるが、ゴム部材の取り付けは吸着盤により既製のロール状トイレットペーパーホルダーに簡単に貼り付けできる点でこのましいが、ロール状トイレットペーパーが回転し今ひとつ切り取りが十分であるとはいえないという問題がある。
【０００６】
そこで、本考案者は、上記の点に鑑み、ロール状ペーパー、例えば、ロール状トイレットペーパーに簡単に取り付けることができ、しかも左手又は右手のいずれか片手で容易にロール状トイレットペーパーを切り取ることができるという課題について種々検討したところ、既存のロール状トイレットペーパーホルダーにセットされているロール状トイレットペーパーの空芯にＵ字形又はコの字形を有する部材を取り付けるのみで片手で容易にロール状トイレットペーパーを容易に切り取ることができることを見出し、ここに本考案をなすに至った。
【０００７】
したがって、本考案が解決しようとする課題は、ロール状ペーパーに簡単に取り付けることができ、しかも左手又は右手のいずれか片手で容易にロール状ペーパーを切り取ることができる金具を提供することにある。
【課題を解決するための手段】
【０００８】
本考案の上記課題は、以下の各発明によってそれぞれ達成される。
（１）棒状体を折り曲げて該棒状体の第１端部と反対側の第２端部を平行に配置した折曲部材からなり、該折曲部材の下方に位置する第２端部付近から垂直に真下に伸びた平板部材を有し、かつ該平板部材の下端に水平に設けた棒部材からなることを特徴とする片手でロール状ペーパーを切り取るための金具
（２）棒状体の第１端部付近には周方向に環状凹凸部又はねじ山を有することを特徴とする前記第１項に記載の片手でロール状ペーパーを切り取るための金具。
（３）折曲部材が、Ｕ字形又はコの字形のいずれかであることを特徴とする前記第１項又は第２項に記載の片手でロール状ペーパーを切り取るための金具。
（４）平板部材が、Ｌ字形であることを特徴とする前記第１項乃至第３項のいずれかに記載の片手でロール状ペーパーを切り取るための金具。
（５）前記第１項、第２項又は第４項のいずれかに記載の金具の折曲部材部、平板部材部及び水平に設けた棒部材部が、棒状体のみで一体的に折り曲げて形成された己形状からなることを特徴とする片手でロール状ペーパーを切り取るための金具。
【考案の効果】
【０００９】
本考案の前記第１項に記載の片手でロール状ペーパーを切り取るための金具（以下、単に「金具」ともいう。）は、棒状体を折り曲げて該棒状体の第１端部と反対側の第２端部を平行に配置した折曲部材からなり、該折曲部材の下方に位置する第２端部付近から垂直に真下に伸びた平板部材を有し、かつ該平板部材の下端に水平に設けた棒部材からなり、該平板部材を小指で下方へ押すことにより、ロール状ペーパーの空芯に系合している第１端部が同時に下方に移動してロール状ペーパーを押圧し、ロール状ペーパーの回転を防止するので、ロール状ペーパーを他の指で握り引張ることができるので、左手又は右手のいずれか片手で容易にロール状ペーパーを切り取ることができるという優れた効果を奏するものである。
【００１０】
本考案の第２項に記載の片手でロール状ペーパーを切り取るための金具は、棒状体の第１端部付近には周方向に環状凹凸部又はねじ山を有することにより、第１項に記載の効果に加えて、環状凹凸部又はねじ山による摩擦抵抗を増大させてロール状ペーパーを押圧し、ロール状ペーパーの回転を防止するという優れた効果を奏するものである。
【００１１】
本考案の第３項に記載の片手でロール状ペーパーを切り取るための金具は、  前記の第１項又は第２項に記載の片手でロール状ペーパーを切り取るための金具において、折曲部材が、Ｕ字形又はコの字形のいずれかであることにより、上記第１項又は第２項において奏する効果に加えて、更にロール状ペーパーの空芯に系合する際、容易に空芯に挿入することができるという格別優れた効果を奏するものである。
本考案の第４項に記載の片手でロール状ペーパーを切り取るための金具は、  前記の第１項乃至第３項のいずれかに記載の片手でロール状ペーパーを切り取るための金具において、平板部材が、Ｌ字形であることにより、部品数を減らし、製造も簡単になという優れた効果を奏するものであり、しかも第１項乃至第３項に記載の効果を奏するという優れた効果も奏するものである。
本考案の片手でロール状ペーパーを切り取るための金具において、前記第１項、第２項又は第４項のいずれかに記載の金具の折曲部材部、平板部材部及び水平に設けた棒部材部が、棒状体のみで一体的に折り曲げて形成された己形状からなることにより、棒状体を己形状に形成するのみで本考案の効果を奏することができ、更に製作自体が極めて簡単に行え、経済的であるという優れた効果を奏するものである。
【考案を実施するための最良の形態】
【００１２】
以下、本考案について図面を用いて具体的に説明するが、本考案は、ロール状ペーパーについて説明するが、このロール状ペーパーには、ロール状トイレットペーパーを含む意味に使用している。また本考案は、以下に説明する具体的事例に限定されるものではない。図１は、本考案の金具を示す展開図である。図２は、図１の部品を組み立てて得られた金具を示す断面図である。図３は、本考案に用いるためのＬ字形平板部材を示す斜視図である。図１乃至図３において説明する。本考案の金具１は、図１のａに示されるように、棒状体２３を折り曲げて該棒状体２３の第１端部２１と反対側の第２端部２２を平行に配置してコの字形の折曲部材２を形成する。第１端部２１と反対側の第２端部２２は、その表面周囲に突起、環状凹凸部又はねじ山３を有している。この突起、環状凹凸部又はねじ山３は、ロール状ペーパー１１との摩擦抵抗を増大させるために設けるものであって、場合によってはこれを設けなくてもよい。この棒状体２３に突起又は環状凹凸部を設けた場合は平板部材は溶接で接合する。また棒状体２３の断面は円形が好ましい。更に棒状体２３の形状はコの字形が好ましいが、Ｕ字形であってもよい。
【００１３】
図１のｂに示されるように、平板部材４にはネジ孔８１、８２が両端部に設けられており、前記のコの字形の折曲部材２の第２端部２２に、該平板部材４のネジ孔８１が挿入され、ワッシャー７とナット６で両側から固定されている。また図１のｃに示されるように、水平棒部材５とワッシャー７とナット６からなり、この水平棒部材５には、その表面の周囲にねじ山５１を有しているが、このネジ山５１は小指で押す付近には設けなくてもよい。固定用平板部材４の下部のネジ孔８２には、水平棒部材５が挿入され、両側からワッシャー７とナット６で固定されている。図２に示される如く、組み立てられた片手でロール状ペーパーを切り取るための金具は、ワッシャー７とナット６でそれぞれ固定されているが、これに代えて固定を溶接で行ってもよい。コストを考えればワッシャー７とナット６で固定する方が好ましい。また本考案の実施の形態では、固定手段としてワッシャーとナットを用いたが、このような固定手段は従来周知であり、またワッシャーは用いなくてもよい。ワッシャーを用いる場合には、ワッシャーとナットとの間にスプリングを介在させるかまたはワッシャー自体を湾曲させて弾性を持たせることもできる。また本考案では、図１のｂに示されるような平板部材４に代えて図３に示されるようなＬ字形平板部材４１を用いることができる。これを用いることにより水平棒部材５を用いることを省くことができるので、部品点数の削減効果があるとともに製造工程も省けるので効率上好ましく、かつ経済的である。
【００１４】
図４は、本考案の片手でロール状ペーパーを切り取るための金具をロール状ペーパーに設置したところを示す断面図である。図５は、片手でロール状ペーパーを切り取るための金具の使用の仕方を示す断面図乃至斜視図である。                                  
図４及び図５において、ロール状ペーパーホルダー９の系合突起１０にロール状ペーパー１１を設置し、更にロール状ペーパー１１の空芯１１ｂに、金具１を取り付けるには、ロール状ペーパー１１とロール状ペーパーホルダー９との隙間を介して前記金具を挿入し第１端部２１を空孔１１ｂに折曲部材２に当接するまで導入する。また別の仕方ではロール状ペーパー１１をロール状ペーパーホルダー９にセットする際、まずロール状ペーパー１１の空孔１１ｂに第１端部２１を挿入し、ついでこの状態のロール状ペーパー１１をロール状ペーパーホルダー９に設置するようにしてもよい。このように取り付けられた金具を有するロール状ペーパーホルダー９からロール状ペーパー１１を取り出すには、まず所望の長さのロール状ペーパー１１を引き出した後、該ロール状ペーパー１１ａのできるだけ元の部分を手１２の親指乃至薬指で握り、残った小指で水平棒部材５を下方に押すと第１端部２１も連動して下方に押され、ロール状ペーパー１１を押さえるので、ロール状ペーパー１１は、固定されて回転しない。この状態でロール状ペーパー１１は切り取ることができる、即ち引きちぎることができる。また、ロール状ペーパー１１ａの握り方は特に制限されるものではなく、前記のほかトイレットペーパーを握る指は親指乃至中指で握ってもよい。更にこれに対応してこれら以外の指で水平棒部材５を下方へ押すことができる。本考案では、主として、ロール状ペーパーで説明したが、このロール状ペーパーとして、ロール状トイレットペーパーを用いる場合に特に好ましい。またロール状ペーパーホルダーは、トイレに限らず部屋の壁やベッドなどの所望の場所に取り付けてもよい。更に本考案では、図６に示される断面図から明かなように、片手でロール状ペーパーを切り取るための金具を前記第１項に記載の構成に代えて棒状体のみで一体的に折り曲げて己形状に形成してもよい。
【産業上の利用可能性】
【００１５】
本考案の片手でロール状ペーパーを切り取るための金具は、片手の不自由な身障者はもちろんのこと、片手が使えないときなど他方の手で簡単かつ容易にロール状ペーパーを切り取ることができるので、片手でロール状ペーパーを切り取るための金具としてトイレに使用でき、産業上の利用性がある。
【図面の簡単な説明】
【００１６】
【図１】本考案の片手でロール状ペーパーを切り取るための金具を示す展開図である。
【図２】図１の部品を組み立てて得られた金具を示す断面図である。
【図３】本考案に用いるためのＬ字形平板部材を示す斜視図である。
【図４】本考案の金具をロール状ペーパーに設置したところを示す断面図である。
【図５】片手でロール状ペーパーを切り取るための金具の使用の仕方を示す断面図乃至斜視図である。
【図６】本考案の金具の別の形態を示す断面図である。
【符号の説明】
【００１７】
１  片手でロール状ペーパーを切り取るための金具
２  折曲部材
３  環状凹凸部又はねじ山
４  平板部材
５  水平棒部材
６  ナット
７  ワッシャー
９  ロール状ペーパーホルダー
１０  系合突起
１１  ロール状ペーパー
１１ａ  ロール状ペーパー端部
１１ｂ  空孔
１２  手
２１  第１端部
２２  第２端部
２３  棒状体
４１  Ｌ字形平板部材
５１  ネジ山
８１、８２  通孔
【図１】
0003122376.tif 000003
【図２】
0003122376.tif 000004
【図３】
0003122376.tif 000005
【図４】
0003122376.tif 000006
【図５】
0003122376.tif 000007
【図６】
0003122376.tif 000008